(57)【要約】      （修正有）【課題】ゴルフ・スイング時のヘッドアップを防止して、スイング時に正しい前傾姿勢を維持できるゴルフ用メガネを提供する。【解決手段】メガネレンズ部の何れか一方に複数のシェード１００が水平方向に取り付けられ、当該メガネを着用した際に斜め下方向のみを視認可能とする傾きを具備させたゴルフ用メガネを着用することでゴルフ・スイング姿勢での正しい前傾を維持できるだけでなく、他方のレンズ部でインパクト後のゴルフボールの軌道を追うためヘッドアップも防止できる。【選択図】図１
0003204979.tif 000002
【実用新案登録請求の範囲】
【請求項１】
メガネレンズ部の何れか一方に複数のシェードが水平方向に取り付けられたことを特徴とするゴルフ用メガネ
【請求項２】
前記シェードは、メガネを着用した際に斜め下方向を視認可能とする傾きを具備させたことを特徴とする請求項１記載のゴルフ用メガネ
【請求項３】
前記シェードは、傾き調整自在であることを特徴とする請求項１記載のゴルフ用メガネ
【請求項４】
メガネ・フロント部に脱着自在に取り付けられたメガネ装備品であり、前記メガネ装備品はメガネレンズ部を覆うように複数のシェードが水平方向に取り付けられたことを特徴とするゴルフ用メガネ
【請求項５】
メガネ・フロントに取り付け跳ね上げ自在とするメガネ装備品であり、前記メガネ装備品はメガネレンズ部を覆うように複数のシェードが水平方向に取り付けられたことを特徴とするゴルフ用メガネ
【請求項６】
前記シェードは、メガネを着用した際に斜め下方向を視認可能とする傾きを具備させたことを特徴とする請求項４または請求項５記載のゴルフ用メガネ
【請求項７】
前記シェードは、傾き調整自在であることを特徴とする請求項４または請求項６記載のゴルフ用メガネ
【考案の詳細な説明】
【技術分野】
【０００１】本考案は、ゴルフ・スイング時において、ヘッドアップが原因である軸振を防止するために用いられるゴルフ用メガネに関する。
【背景技術】
【０００２】ゴルフでのセットアップは構える体の形を決める動作であり足の幅、ひざ、前傾など基本的な構えからなる。特に、ゴルフ・スイングの回転軸は背骨であるため、前傾姿勢は、ひざを軽く曲げた後、尻を突き出し、骨盤から首の骨まで真っ直ぐに伸ばしたまま、骨盤から前傾する必要がある。骨盤を前傾させずに背骨を曲げる猫背では、上半身の捻りが小さくなり、飛距離が短くなるだけでなく軸振の原因にもなる。【０００３】前記セットアップが決まり、ゴルフ・スイングの一連の流れで、アドレスが決まりテイクバックからトップオブスイングとなり、次にダウンスイングにてクラブを振り下ろしクラブヘッドのフェースとボールが当たるインパクトに続き、フォロースルーからフィニッシュとなる。【０００４】前記動作において、インパクトの瞬間に傾斜した上体が起き上がらないようにボールを確りと見て頭を動かさないようにすること、打ったボールの行方を追うことで起こるヘッドアップを注意することでダフリやトップを防止できる。
【特許文献】
【０００５】
【特許文献１】実開平５−６３５７５号
【特許文献２】実開平６−７５５５０号
【特許文献３】実用新案登録３０２３９３１号
【特許文献４】特開２００８−６８０４１号
【特許文献５】特開２００２−３２３６８２号
【０００６】
【考案の概要】
【考案が解決しようとする課題】
【０００７】正しいセットアップ姿勢やスイング動作を習得するためにゴルフ教室や鏡を見ながらのスイング動作を確認し、調整しているが実際のプレーではミスショットが頻繁に起こっている。そのため、ヘッドアップによるミスショットを矯正するための矯正用メガネが多数提案されている。【０００８】特許文献１は、色つきレンズの中に更に透明レンズを設けたものであり、透明レンズの面積を小さくしたゴルフ練習用が提案されている。透明レンズでゴルフボールを見ることにより頭の振れを最小にするものであるがゴルフ・スイング時の姿勢、特に骨盤から首の骨まで真っ直ぐに伸ばしたまま、骨盤から前傾する姿勢を矯正するものでない。【０００９】特許文献２は、左右１対の視界限定部を有することを特徴とするゴルフ・スイング用練習メガネであってヘッドアップを防止するためにメガネ・フレームに円形の筒枠を備え、若しくはレンズに遮光部と通光部を備えることでボールに集中させるものである。本考案もヘッドアップを防止するものでありゴルフ・スイング時の姿勢を矯正するものでない。【００１０】特許文献３は、左右のメガネの玉に、立ち姿勢での正中における左右の視線が足元から遠方に至るまで一つの像を結ぶ視界を確保できる横方向範囲をカバーした上下が窄んだ縦長スリット状の素通し部分を有し、該素通し部分以外が透光透視性を有した着色部分であることを特徴とするゴルフ練習用メガネであり基本構成は特許文献２と同じである。【００１１】特許文献４は、メガネ・フレームの瞳の中心が位置する箇所に、左右の視界を仕切るための視界分離板を装着したゴルフ用のメガネが提案されている。本発明によれば、左右の眼の、それぞれの瞳の中央部分で、それぞれの視界を左右に仕切ることができ、これによりスウィング中のボールの見方が劇的に改善され、さらに視界分離板の活躍によってスウィング・センターが不動のまま、左右それぞれの半身がバランス良く動作するようになるのである。しかし、前記特許文献と同様にヘッドアップを防止するものでありゴルフ・スイング時の姿勢を矯正するものでない。【００１２】特許文献５は、レンズに、目で見える色および／または形が変化するように、その他の通常のレンズ部分と異なって見える視認部が形成されたスポーツメガネであり、前記視認部はレンズの表面に形成された色彩部若しくはレンズの表面に形成された線または点等の形状部からなる。前記視認部は、利き腕側の目にかけるレンズにおいて、該レンズの中央より目で見る物体の移動する方向とは反対側の部位に形成されている。しかしながら、本発明もヘッドアップを防止するためのものでありゴルフ・スイング時の姿勢を矯正するものでない。
【課題を解決するための手段】
【００１３】上記課題に鑑み、考案者は誠意工夫の結果、メガネレンズ部の何れか一方に複数のシェードが水平方向に取り付けられ、当該メガネを着用した際に斜め下方向を視認可能とする傾きを具備させたゴルフ用メガネを完成させた。【００１４】第二の実施形態は、メガネ・フロント部に脱着自在に取り付けられ、又はメガネ・フロントに取り付け跳ね上げ自在とするメガネ装備品であり、前記メガネ装備品はメガネレンズ部を覆うように複数のシェードが水平方向に取り付けられ、当該メガネを着用した際に斜め下方向を視認可能とする傾きを具備させたゴルフ用メガネである。【００１５】本考案のゴルフ用メガネを着用するとヘッドアップ防止だけでなくゴルフ・スイング時の姿勢、特に骨盤から首の骨まで真っ直ぐに伸ばしたまま、骨盤から前傾する姿勢を維持できるため飛距離も延びる。【００１６】具体的に説明すると、右打ちの場合には右目側に前記シェード部が来るように本考案のゴルフ用メガネを着用する。前記シェード越しにゴルフボールを見るようにすると前記シェードの視認性は斜め下方向のみであり前記ゴルフボールを見るためには顎を若干上げる姿勢となるために必然的に骨盤から首の骨まで真っ直ぐに伸びた正しい姿勢となる。また左目側は視認性があれば良いためレンズや板ガラス若しくは何も取り付けなくても良く、左右両目でゴルフボールを確認できるために立体視や距離目測の支障となることはない。【００１７】ヘッドアップの防止に関しては、インパクトしたゴルフボールは目標に向かって飛び出すが右目側はシェードにより前記ボールの軌道を追うことは困難であるため左目のみで前記ボールの軌道を追うことになり首の回転角度が両目で追うよりも首の回転角度が小さくてすむ。これによりヘッドアップが防止される機能を有する。
【図面の簡単な説明】
【００１８】
【図１】本考案であるゴルフ用メガネの正面図を示す。
【図２】本考案であるゴルフ用メガネの側面図を示す。
【図３】本考案である装着自在のゴルフ用メガネとなる装備品であってメガネに装着した時の側面図を示す。
【図４】（ａ）片眼用のメガネ装備品の正面図を示す。（ｂ）両眼用のメガネ装備品の正面図を示す。
【図５】本考案である跳ね上げ自在のゴルフ用メガネとなる装備品であってメガネに装着した時の側面図を示す。
【考案を実施するための形態】
【００１９】以下、本考案に係る実施の形態を図面により説明する。
【実施例】
【００２０】図１は、本考案であるフルリム構造（１０）による右打ち用としてのゴルフ用メガネの正面図（ノーズパッドは省略）を示す。着用時に左目側には通常のレンズ（５０）が取り付けられ、右目側には複数のシェード（１００）が水平に取り付けられている。図２は、前記ゴルフ用メガネのストレートテンプル（３０）の場合の側面図を示す。テンプル部は通常のメガネと同様で図示していないが智（２０）とテンプル（３０）は蝶番で接続され、前記テンプル（３０）の先端部はモダン（４０）で構成されている。当該リム（１０）には複数枚のシェード（１００）が、メガネを着用した際に斜め下方向を視認可能とする傾きを具備させて取り付けられている。【００２１】図３は、本考案である装着自在のゴルフ用メガネとなる装備品であってメガネに装着した時の側面図を示す。脱着自在な装備品（２００）はプラスチック製などのフレームからなり、前記フレームには複数のシェード（２００）が取り付けられて、リム取り付け部品（２１０）にて通常のメガネやサングラスのリム上部に装着する。【００２２】図４（ａ）は、前記脱着自在な装備品（２００）が通常のメガネやサングラスの片方のレンズ部にのみ取り付ける一例であり、（ｂ）はメガネ両眼部に装着できる一例を示す。【００２３】図５は、本考案である前記脱着自在な装備品（２００）が跳ね上げ式となるようにリム取り付け部品（２１０）に跳ね上げ用蝶番（２２０）を取り付けたゴルフ用メガネとなる装備品であってメガネに装着した時の側面図を示す。【００２４】図示していないが、使用するクラブの長さやプレーヤーの身長により前記シェードの傾きが異なるため、前記シェードには角度調整機能を具備させる。具体的には、各シェードの上部に軸穴を設け、前記装備品のフレーム部に軸を介して取り付けるなどすれば良い。【００２５】なお、本考案にかかるゴルフ用メガネの具体的な構成は、実施形態に記載したものに限られるものでなく、考案の要旨を逸脱しない範囲で変更可能である。
【考案の効果】
【００２６】本考案によれば、ヘッドアップ防止のみならず、スイング中の姿勢をも矯正することが可能となる。
【符号の説明】
【００２７】１０    リム
２０    智
３０    テンプル
４０    モダン
５０    レンズ
１００  シェード
２００  脱着自在な装備品
２１０  リム取り付け部品
２２０  跳ね上げ用蝶番
【図１】
0003204979.tif 000003
【図２】
0003204979.tif 000004
【図３】
0003204979.tif 000005
【図４】
0003204979.tif 000006
【図５】
0003204979.tif 000007